(57)【要約】【課題】  通報部により監視センターへ故障の通報が行われている最中は、かごの内部から電話で外部に通話することができないという問題がある。【解決手段】  かご内電話器４の受話器が上がったことを検出するオフフック監視手段を設け、エレベータ１３が故障して通報部５が電話回線７に接続された第１通信回線使用状態のときに、オフフック監視手段がかご内電話器４の受話器の上がったことを検出した場合は、電話回線７への接続を、通報部５からかご内電話器４に直ちに切り換えて第２通信回線使用状態とし、かご３の内部に閉じ込められた乗客が、かご内電話器４をいつでも使用できるようにする。【選択図】  図１
2006168845.tif 000002
【特許請求の範囲】
【請求項１】
エレベータが故障したことを通報する通報部とエレベータの故障を監視する監視センターとを接続する第１通信回線と、かご内電話器とかごの外部の電話器とを接続する第２通信回線とを、同一の通信回線で兼用した故障通報装置において、
エレベータが故障したときには、前記第２通信回線を、前記第１通信回線よりも優先して接続することを特徴とする故障通報装置。
【請求項２】
請求項１に記載の故障通報装置において、前記かご内電話器の受話器が上がったことを検出するオフフック監視手段を設け、エレベータが故障したことにより前記第１通信回線に接続されているときに前記オフフック監視手段が前記かご内電話器の受話器の上がったことを検出した場合には、前記第１通信回線から前記第２通信回線に接続が切り換わることを特徴とする故障通報装置。
【請求項３】
請求項２に記載の故障通報装置において、前記第２通信回線に接続されているときに前記オフフック監視手段が前記かご内電話器の受話器の上がったことを検出しなくなったら、前記第２通信回線から前記第１通信回線に接続が切り換わり、前記第１通信回線の接続が再度行われることを特徴とする故障通報装置。
【発明の詳細な説明】
【技術分野】
【０００１】
本発明は、電話回線を通信回線として兼用し、エレベータの故障が生じたときに、該エレベータの故障を、通報部が電話回線を介して監視センターに通報するようにした故障通報装置に関する。
【背景技術】
【０００２】
複数箇所のエレベータと監視センターとを通信回線で結ぶことにより、各エレベータを遠隔で集中監視し、いずれかのエレベータに異常が発生すると監視センターで異常を検知して技術者を派遣するようにしたエレベータの遠隔監視システムが採用されている。
【０００３】
このような遠隔監視システムに用いる従来の故障通報装置としては、例えば以下のものが知られている。この故障通報装置においては、エレベータのかごの内部に外部と通話するための電話器が設置される一方、エレベータが故障した場合に故障したことを監視センターへ通報するための通報部が設けられている。そして、かご内の電話器の通信回線と、通報部に用いる通信回線とを、一般電話の電話回線で兼用させたものがある。このような故障通報装置では、電話回線所有者である客先の電話回線を使用するため、設備費用がかからないというメリットがある。
【０００４】
しかし、エレベータが故障して通報部により故障の通報が監視センターに対して行われている最中は、電話回線が使用中であるため、かご内の電話器を使って外部と通話することができず、かごの内部に閉じ込められている乗客は不安になる。
【０００５】
一方、このような課題を解決するために、特許文献１に記載のように、「通報部が電話回線を使用して監視センターに通報中であるため、かご内の電話器は一時的に使用できない」旨をアナウンスすることが考えられている。
【特許文献１】特開平６−８５９４４号公報
【発明の開示】
【発明が解決しようとする課題】
【０００６】
ところが、このようにアナウンスする構成を採用しても、通報部から監視センターへ故障の通報が行われている最中は、かご内の電話器で外部と通話することができないという課題は何ら解決していない。
【０００７】
そこで本発明は、上記の課題を解決し、かご内の電話器がいつでも使える故障通報装置を提供することを目的とする。
【課題を解決するための手段】
【０００８】
請求項１に係る発明は、エレベータが故障したことを通報する通報部とエレベータの故障を監視する監視センターとを接続する第１通信回線と、かご内電話器とかごの外部の電話器とを接続する第２通信回線とを、同一の通信回線で兼用した故障通報装置において、エレベータが故障したときには、前記第２通信回線を、前記第１通信回線よりも優先して接続することを特徴とする。
【０００９】
このような故障通報装置では、エレベータが故障したときには、第２通信回線が第１通信回線よりも優先して接続されるので、エレベータが故障して乗客がかごの内部に閉じ込められた場合に、かご内電話器から外部へ電話することが、いつでも可能となる。
【００１０】
請求項２に係る発明は、請求項１に記載の故障通報装置において、前記かご内電話器の受話器が上がったことを検出するオフフック監視手段を設け、エレベータが故障したことにより前記第１通信回線に接続されているときに前記オフフック監視手段が前記かご内電話器の受話器の上がったことを検出した場合には、前記第１通信回線から前記第２通信回線に接続が切り換わることを特徴とする。
【００１１】
このような故障通報装置では、エレベータが故障した時は、まず故障情報を監視センターに送信するために第１通信回線に接続される。そして、第１通信回線に接続されているときに、オフフック監視手段がかご内電話器の受話器の上がったことを検出した場合は、第１通信回線から第２通信回線に接続が切り換わるので、エレベータが故障してかごの内部に乗客が閉じ込められた場合は、乗客はいつでも外部へ電話することができる。
【００１２】
請求項３に係る発明は、請求項２に記載の故障通報装置において、前記第２通信回線に接続されているときに前記オフフック監視手段が前記かご内電話器の受話器の上がったことを検出しなくなったら、前記第２通信回線から前記第１通信回線に接続が切り換わり、前記第１通信回線の接続が再度行われることを特徴とする。
【００１３】
このような故障通報装置では、エレベータが故障して第２通信回線に優先的に接続されている場合に、オフフック監視手段がかご内電話器の受話器の上がりを検出しなくなったら、再び第２通信回線から第１通信回線に接続が切り換わって、通報部から監視センターへの故障通報が行われる。このように、かご内電話器の接続が優先され、通報部から監視センターへの故障通報は、かご内電話器の使用が終了した後に再び行われる。
【発明の効果】
【００１４】
本発明に係る故障通報装置によれば、エレベータが故障したときには第２通信回線の接続が第１通信回線の接続よりも優先されるので、エレベータが故障してかごの内部に乗客が閉じ込められた場合に、かごの内部から外部へいつでも電話することができる。従来は通報部から監視センターへの故障通報の通信中はかご内電話器が使えなかったために、かご内に閉じ込められた乗客が不安を感じることがあったが、本発明ではかご内電話がいつでも使えるので、乗客の不安が解消する。
【００１５】
また、新たに機器を追加したり、回路を変更したりすることなく、故障通報装置のＣＰＵの機能を利用してＣＰＵのソフトウエアを変更するだけで、エレベータが故障したときにかご内電話器を通報部よりも優先して通信回線に接続できることから、新たな費用がかからない。
【発明を実施するための最良の形態】
【００１６】
以下、本発明による故障通報装置の実施の形態を図１に基づいて説明する。家屋１２のローゼット１８から電話回線１，２が配線されており、電話回線１には客先宅内電話器１１が接続される一方、電話回線２にはＮＴＴ交換局１５が接続されている。ＮＴＴ交換局１５には、電話回線１４を介して監視センター８が接続され、電話回線１６を介して他の通話先１７が接続されている。エレベータ１３のかご３の内部にはかご内電話器４が設置されている。このかご内電話器４は、エレベータが故障したことを監視センター８へ自動的に通報するための通報部５を介してローゼット１８に接続されている。つまり、かご内電話器４は、電話回線６，７，２，１４（第１通信回線）を介して監視センター８に接続され、また電話回線６，７，２，１６（第２通信回線）を介して他の通話先１７に接続され、他の通話先１７との通話が可能である。また、通報部５は電話回線７，２，１４（第１通信回線）を介して監視センター８に接続される。この通報部５には、エレベータ１３が故障したときに故障したことを示す故障信号を通報部５へ出力するためのエレベータコントローラ９と、電源１０とが接続されている。
【００１７】
エレベータ故障のない通常の状態では、電話回線６と電話回線７とが接続され、第２通信回線が接続された状態になっている。そして、エレベータ故障が生じ、エレベータコントローラ９からの故障信号を通報部５が受信した場合には、接続が第２通信回線から第１通信回線に切り換わり、電話回線７に通報部５が接続された状態になっている。そして、通報部５から監視センター８へ故障信号が送られる。
【００１８】
このように、エレベータ故障が生じた場合は、原則として第１通信回線に接続される。しかし、かご内電話器４から外部へ通話しようとして受話器を上げる者がある場合は、例外的に第２通信回線の方が優先されるようになっている。
【００１９】
即ち、以下のようになっている。通報部５には、かご内電話器４の図示しない受話器が持ち上げられたことを検出するための図示しないオフフック監視手段が設けられている。オフフック監視手段は、第１通信回線に接続されている場合も、第２通信回線に接続されている場合も、いずれの場合にも作動する。そして、第１通信回線に接続されているときに、オフフック監視手段がかご内電話器４の受話器の上がったことを極性反転の検出により検出した場合には、第１通信回線から第２通信回線に接続が切り換わるように設定されている。つまり、かご内電話器４の接続が、通報部５の接続よりも優先される。
【００２０】
詳述すると、エレベータコントローラ９からの故障信号を通報部５が受信すると、第１通信回線に接続され、通報部５から監視センター８へ故障通報が行われる。このときに、オフフック監視手段がかご内電話器４の受話器の上がったことを検出した場合は、第１通信回線を用いた故障通報が切断され、直ちに第１通信回線から第２通信回線に接続が切り換わる。一方、オフフック監視手段がかご内電話器４の受話器が上がったことを検出することなく故障通報がそのまま完了した場合は、故障通報が完了した後に、第１通信回線から第２通信回線に接続が切り換わり、元の状態に戻る。
【００２１】
また、前記のようにかご内電話器４による通話が優先されたため、故障通報が中断されて第２通信回線に接続された場合は、その後にオフフック監視手段がかご内電話器４の受話器が上がったことを検出しなくなったら、第２通信回線から第１通信回線に接続が切り換わり、故障通報ができる状態に戻る。そして、通報部５から監視センター８へ再度ダイヤルし、故障通報が最初からやり直される。このような故障通報中であっても、故障通報が終了してかご内電話器４に接続が切り換わるまでは、オフフック監視手段がかご内電話器４の受話器が上がっていないか監視を継続する。つまり、通報部５からの故障通報の状態の如何に拘わらず、かご３内の乗客はいつでも自由にかご内電話器４を用いて外部へ電話をかけることができ、通話が終了して第２通信回線が空いたら再び第１通信回線に接続され、通報部５による監視センター８への故障通報が再び開始される。
【００２２】
通報部５から監視センター８への故障通報の流れは、通報部５が監視センター８へダイヤルし、故障通報が監視センター８へ着信したら、監視センター８とのプロトコルに従って、通報部５と監視センター８との間で送受信が行なわれる。送受信が終了したら、第１通信回線から第２通信回線に接続が切り換わり、オフフック監視手段の役割が終了する。
【００２３】
次に、故障通報装置の作用を、図２のフローチャートに沿って説明する。ステップＳ１に示すように、エレベータコントローラ９からの故障信号が入力されたかどうか、接点監視される。エレベータが故障していない通常の状態では、かご内電話器４が使えるように第２通信回線に接続されている。ステップＳ２に示すように、エレベータが故障して機能停止が発生すると、ステップＳ３に示すように、図１のエレベータコントローラ９から通報部５へ故障信号が送られ、通報部５がこれを検出する。エレベータが故障していない通常の状態では、第２通信回線に接続されているが、ステップＳ３により通報部５が故障信号を受信すると、通報部５が故障信号を監視センター８へ送るために、第２通信回線から第１通信回線に接続を直ちに切り換えてもよいが、かご３の内部に閉じ込められた乗客が、かご内電話器４を使って外部と通話している可能性がある。
【００２４】
このため、ステップＳ４に示すように、回線使用状況チェック（１）が行われる。即ち、かご内電話器４の受話器が置かれているかそれとも持ち上げられたかをオフフック監視手段が極性反転検出回路により検出する。かご内電話器４の受話器が持ち上げられている状態が検出されると、かご内電話器４が使用状態にあるということを意味し、一方、受話器が置かれている状態が検出されると、かご内電話器４は使用されていない状態にあるということを意味する。
【００２５】
かご内電話器４が使用されていない場合は、ステップＳ５に示すように、第２通信回線から第１通信回線へ接続が切り換えられる。なお、かご内電話器４が使用されている場合は、この切り換えは行われない。第１通信回線へ切り換えられた後においては、ステップＳ６に示すように、通報部５と監視センター８とが接続されているのを確認するために回線チェック（２）が行われる。即ち、まず極性反転検出回路により回線使用状況のチェックが行われ、次にＢＴ検出回路により発着音（ＤＴ）の確認が行われる。そして、ステップＳ７に示すように、いずれかの回線を選択して選択信号（通話先電話番号）が送出される。選択信号の送出として、プッシュボタン（ＰＢ）回線に設定されていればダイヤラＩＣによる発進が行われ、ダイヤルパルス（ＤＰ）回線に設定されていればダイヤルパルス回路による発信が行われる。そしてこの発信後に、ステップＳ８に示すように、監視センター８の応答チェックが行われる。即ち、話中音（ＢＴ）または呼び出し音（ＲＢＴ）の確認が、ＢＴ検出回路によって行われる。通報部５と監視センター８とが接続されたことが確認されると、ステップＳ９に示すように、通報部５から監視センター８へ故障信号が送出される。故障信号の送出が終了すると、ステップＳ１０に示すように、第１通信回線から第２通信回線へ接続が切り換えられ、かご内電話器４が再び電話回線７に接続される。
【００２６】
一方、ステップＳ５により第１通信回線に接続された状態では、ステップ６〜ステップ９までの作用と平行して、オフフック監視手段によりかご内電話器４の受話器が持ち上げられているか否かの監視が継続される。ステップ６〜ステップ９までの間に、かご内電話器４の受話器が持ち上げられていることが検出されると、通報部５から監視センター８への故障通報が切断され、ステップＳ１０に示すように、直ちに接続が第１通信回線から第２通信回線に切り換えられる。これにより、ステップＳ１２に示すように、第２通信回線の接続が復帰する。このとき、乗客は自由にダイヤルできるため、監視センター８以外の他の通話先１７との通話が可能となる。
【００２７】
かご内電話器４による通話状態が長く続くと、通報部５から監視センター８への故障情報の通報がその分だけ遅れるが、監視センター８では、かご内電話器４からの通報であっても、通報部５からの通報であっても、同様の対応を行うため、かご内電話器４から監視センター８への通報があれば、通報部５からの通報が遅れても、監視センター８での対応が遅れる等の問題は生じない。
【図面の簡単な説明】
【００２８】
【図１】故障通報装置を示す構成図（実施の形態）。
【図２】故障通報装置の作用を示すフローチャート図（実施の形態）。
【符号の説明】
【００２９】
１，２，６，７…電話回線
３…かご
４…かご内電話器
５…通報部
８…監視センター
【図１】
2006168845.tif 000003
【図２】
2006168845.tif 000004